(57)【特許請求の範囲】
【請求項１】
第１の通信経路と当該第１の通信経路よりも伝送レートが小さい第２の通信経路とを介して伝送された少なくとも第１の映像と第２の映像を合成して表示する映像表示システムにおける分配装置であって、
前記第１の通信経路と前記第２の通信経路の伝送レートの和に基づいて前記第１の映像と前記第２の映像の品質が均質になるように各映像の品質を決定する決定手段と、
前記決定手段により決定された品質に基づいて、前記第１の通信経路に前記第１の映像と前記第２の映像の一部とを分配し、前記第２の通信経路に前記第２の映像の残りを分配する分配手段と、
を有することを特徴とする分配装置。
【請求項２】
宛先となる映像出力装置を示す情報が含まれた映像データを、前記第１の通信経路及び前記第２の通信経路それぞれに送信する送信手段を更に有することを特徴とする請求項１に記載の分配装置。
【請求項３】
前記第１の映像と前記第２の映像の品質は、解像度であることを特徴とする請求項１又は請求項２のいずれか１項に記載の分配装置。
【請求項４】
前記第１の通信経路と前記第２の通信経路は、無線通信経路であることを特徴とする請求項１乃至請求項３のいずれか１項に記載の分配装置。
【請求項５】
第１の通信経路と当該第１の通信経路よりも伝送レートが小さい第２の通信経路とを介して伝送された少なくとも第１の映像と第２の映像を合成して表示する映像表示システムにおける分配装置の映像分配方法であって、
前記分配装置の決定手段が、前記第１の通信経路の伝送レートと前記第２の通信経路の伝送レートの和に基づいて前記第１の映像と前記第２の映像の品質が均質になるように各映像の品質を決定する工程と、
前記分配装置の分配手段が、前記決定された品質に基づいて、前記第１の通信経路に前記第１の映像と前記第２の映像の一部とを分配し、前記第２の通信経路に前記第２の映像の残りを分配する工程と、
を有することを特徴とする分配装置の映像分配方法。
【請求項６】
請求項１乃至請求項４のいずれか１項に記載の分配装置の各手段としてコンピュータを機能させるプログラム。
【発明の詳細な説明】
【技術分野】
【０００１】
本発明は、複数の無線送信機と複数の無線受信機との間の複数の通信経路を介して映像データを複数の映像出力装置へ伝送する技術に関する。
【背景技術】
【０００２】
複数のプロジェクタを用いて分割された映像を投影し、投影された画像を合成して大画面映像を表示するシステムや輝度が不足するプロジェクタの画像を複数重ねて表示するシステムがある。更に、左右の画像を重ねて３Ｄ映像を表示するシステム等、大画面を複数の画像として表示するマルチプロジェクションシステムもある。
【０００３】
このような大画像のマルチプロジェクションシステムの映像は、高品位な画質も求められ、映像データは膨大になる。また、画面の大型化に伴い、プロジェクタ及び映像ソース間の距離が延び、配線が複数化するため、ワイヤレス化への要望が非常に大きくなってきている。
【０００４】
無線通信システムにおいては、ＭＩＭＯ技術やミリ波伝送等、大容量化がなされてきているが、大画像、高品位の圧縮されていない映像を複数のプロジェクタに送信するためには複数の無線通信装置を用いて複数のチャネルで通信する必要がある。
【０００５】
例えば、特許文献１では、複数の映像データを複数のチャネルを用いて伝送する技術が提案されている（）。特許文献１では、複数の伝送チャネルの合計伝送レート内で、画像チャネルごとの発生情報量に応じて、画像チャネルごとに伝送レートを可変にしている。さらに、１伝送チャネルの伝送レート以上に多く割り当てられた画像チャネルのデータを、隣接する画像チャネルに対応する伝送チャネルを利用して伝送している。
【先行技術文献】
【特許文献】
【０００６】
【特許文献１】特開平06-268985号公報
【発明の概要】
【発明が解決しようとする課題】
【０００７】
複数の映像データを複数の無線通信機で送受信するマルチプロジェクションシステムにおいて、無線通信の電磁波の遮蔽物や、他の通信機器による電波干渉等により伝搬環境が変化すると、必要な伝送レートが維持できない場合がある。１つの通信経路の伝送レートが低下すると、その通信経路を介して伝送される映像が乱れ、大画面映像の場合、乱れのある映像と乱れの無い映像とのつなぎ目が目立ち、映像全体の画質が低下してしまう。
【０００８】
また、３Ｄ映像や輝度を向上させるために映像を重ね合わせる場合、高品位の映像と低品位の映像が重ね合わされると、低品位の映像による画像の乱れが際立ち、全体の映像の画質の低下が目立つことがある。
【０００９】
本発明は、複数の通信経路のいずれかの伝送レートが低下しても、合成して表示される各映像を均質化することを目的とする。
【課題を解決するための手段】
【００１０】
本発明は、第１の通信経路と当該第１の通信経路よりも伝送レートが小さい第２の通信経路とを介して伝送された少なくとも第１の映像と第２の映像を合成して表示する映像表示システムにおける分配装置であって、前記第１の通信経路と前記第２の通信経路の伝送レートの和に基づいて前記第１の映像と前記第２の映像の品質が均質になるように書く映像の品質を決定する決定手段と、前記複数の通信経路それぞれの伝送レートと前記決定手段により決定された品質に基づいて、前記第１の通信経路に前記第１の映像と前記第２の映像の一部とを分配し、前記第２の通信経路に前記第２の映像の残りを分配する分配手段と、を有することを特徴とする。
【発明の効果】
【００１１】
本発明によれば、複数の通信経路のいずれかの伝送レートが低下しても、合成して表示される各映像の品質の違いによる映像全体の画質低下を抑制できる。
【図面の簡単な説明】
【００１２】
【図１】第１の実施形態における映像伝送システムの構成例を示す図。
【図２】第１の実施形態における全体的な処理を示すフローチャート。
【図３】通信経路（無線伝送パス）の切り替え処理を示すフローチャート。
【図４】パケット構成の一例を示す図。
【図５】変形例１の構成例を示すブロック図。
【図６】変形例２の構成例を示すブロック図。
【図７】第２の実施形態における映像伝送システムの構成例を示す図。
【図８】第２の実施形態における全体的な処理を示すフローチャート。
【発明を実施するための形態】
【００１３】
以下、図面を参照しながら発明を実施するための形態について詳細に説明する。実施の形態では、複数の通信経路を介して伝送された少なくとも２つの映像を合成して表示する映像表示システムにおける分配装置及び映像分配方法について説明する。
【００１４】
尚、複数の通信経路が、第１の通信経路と第２の通信経路の場合を説明するが、本発明はこれに限定されるものではない。また、第１の映像と第２の映像を映像分配する場合を説明するが、本発明はこれに限定されるものではない。
【００１５】
［第１の実施形態］
図１の（Ａ）は通常の伝送状態を示す図である。一方、図１の（Ｂ）は障害物によって無線送信機（TxRF）から無線受信機（RxRF）への無線通信経路が妨害され、壁の反射パスを用いたため、データ伝送量が低下した場合の動作を示す図である。尚、以下の説明では、無線送信機及び無線受信機を単に送信機及び受信機と呼ぶ。
【００１６】
本実施例では、プロジェクタ１４１が大画面の右側の映像を映写し、プロジェクタ１４２が左側の映像を映写し、これら左右の映像をつなぎ合わせることで大画面の映像を映写するシステムを例に説明する。しかしながら、プロジェクタ１４１、１４２の各映像を重ね合わせて映写映像の輝度を向上させるシステム、プロジェクタ１４１、１４２が３Ｄ映像の左右の映像を映写し、これら映像を重ねて３Ｄ化した映像を表示するシステムであっても本発明を適用できる。
【００１７】
図１に示すデータ分配器（TxDiv）１０１は、１つの映像データが右側映像（ＨＤＭＩ１）と左側画像（ＨＤＭＩ２）に分割された各映像データを入力し、複数の映像出力装置（プロジェクタ）１４１、１４２の映像データに分配する。送信機１１１、１１２はそれぞれの映像データを無線送信する。受信機１２１、１２２はそれぞれの映像データを受信する。データ合成器１３１、１３２は、受信機１２１、１２２の両方に有線で接続されている。なお、データ分配機１０１に右側映像（ＨＤＭＩ１）と左側画像（ＨＤＭＩ２）が入力される構成を例に説明するが、データ分配機１０１が１つの映像を右側映像と左側画像とに分割する構成にしてもよい。
【００１８】
プロジェクタ１４１、１４２は、伝送レートが２Gbpsの通信経路を介して映像を伝送すれば、最高品位の映像を得ることができるものとする。ここで、図１の（Ａ）のように、送信機１１１及び受信機１２１と、送信機１１２及び受信機１２２との間の通信経路の伝送レートがそれぞれ２Gbpsで通信できている場合、プロジェクタ１４１、１４２から映写される映像は最高品位である。データ分配機１０１はプロジェクタ１４１の映像データのみを送信機１１１に分配し、プロジェクタ１４２の映像データのみを送信機１１２に分配する。送信機１１１への映像データのヘッダには映像データの宛先が全てプロジェクタ１４１であることを示す内容が含まれる。また同様に、送信機１１２への映像データのヘッダには映像データの宛先が全てプロジェクタ１４２であることを示す内容が含まれる。
【００１９】
受信機１２１は、データ合成器１３１、１３２の両方に有線で接続されているが、受信されたヘッダの内容に従ってデータ合成器１３１のみに映像データを送信し、データ合成器１３１からプロジェクタ１４１へ全ての映像データが送信される。受信機１２２も、データ合成器１３１、１３２の両方に有線で接続され、受信されたヘッダの内容に従ってデータ合成器１３２のみに映像データを送信し、データ合成器１３２からプロジェクタ１４２へ全ての映像データが送信される。
【００２０】
図１の（Ｂ）では、送信機１１１及び受信機１２１の間の通信経路は最高品位の２Gbpsの伝送レートでで通信できている。一方、送信機１１２及び受信機１２２の間の通信経路は伝送レートが１Gbpsの品位でしか通信できていない。そこで、データ分配器１０１は合計で３Gbpsの伝送レートで通信するように映像データの品質を決め、各通信経路で伝送される映像データの分配を決定する。つまり、プロジェクタ１４１、１４２のぞれぞれに、１.５Ｇｂｐｓの伝送レートで映像が伝送されるように映像品質を決定し、入力された映像の品質を調整する。映像品質の調整は、映像の解像度又は階調度のビット幅を調整することにより行われる。しかしながら、映像の圧縮率を調整してもよいし、フレームレートを調整してもよいし、両方を調整しても、他の方法により調整してもよい。
【００２１】
データ分配器１０１は、送信機１１１及び受信機１２１の間の通信経路の２Ｇｂｐｓの伝送レートのうち、プロジェクタ１４１宛ての映像データに１．５Gbpsを割り当て、プロジェクタ１４２宛ての映像データに０．５Gbpsを割り当てる。そしてこれらの伝送レートで伝送する映像データを送信機１１１に分配する。また、送信機１１２及び受信機１２２の間の通信経路の１Ｇｂｐsの伝送レートの全てをプロジェクタ１４２の映像データに割り当て、１Gbpsで伝送する映像データを送信機１１２に分配する。この分配は、プロジェクタ１４２に伝送する１.５Ｇｂｐｓの映像データのうち、０.５Ｇｂｐｓ分のパケットをを送信機１１１に分配し、１.０Ｇｂｐｓ分のパケットを送信機１１２に分配すればよい。
【００２２】
送信機１１１への映像データのヘッダには１．５Gbpsの映像データの宛先がプロジェクタ１４１であり、０．５Gbpsの映像データの宛先がプロジェクタ１４２であることを示す内容が含まれる。一方、送信機１１２への映像データのヘッダには映像データの宛先が全てプロジェクタ１４２であることを示す内容が含まれる。
【００２３】
受信機１２１は、受信されたヘッダの内容に従ってデータ合成器１３１に１．５Gbpsの伝送レートで伝送されたプロジェクタ１４１宛ての映像データを送信する。更に、受信機１２１は、データ合成器１３２に０．５Gbpsの伝送レート伝送されたプロジェクタ１４２宛ての映像データを送信する。これにより、データ合成器１３１からプロジェクタ１４１へ１．５Gbpsの伝送レートで伝送された映像データが送信される。受信機１２２は、受信されたヘッダの内容に従ってデータ合成器１３２のみに１Gbpsの伝送レートで伝送されたプロジェクタ１４２宛ての映像データを送信する。そして、データ合成器１３２により受信機１２１から送信された０．５Gbpsの映像データと合成されてプロジェクタ１４２へ１．５Gbpsの映像データが送信される。
【００２４】
上述したように、複数のプロジェクタに伝送される映像データの品質を均質化することにより、左右の映像出力が均質化され、映像の境界を目立たなくすることが可能になる。
【００２５】
ここで、第１の実施形態におけるデータ分配器、送信機、及び受信機によって行われる全体的な処理を、図２を用いて説明する。まず、データ分配器は、複数の通信経路の初期状態を調べるために、接続されている全ての送信機から全ての受信機へテスト信号を送信させるテスト信号送信指示を行う（２０１）。次に、全ての受信機から返されてきた肯定応答（Ａｃｋ）から各通信経路の伝送レートを把握する（２０２）。尚、図１に示す例では送信機及び受信機は各々２台であるが、映像画面の大きさ、分割の仕方、伝送レート等で通信経路の必要数が変化するので、この台数に限定されるものではない。
【００２６】
次に、データ分配器は、全ての通信経路の伝送レートの総和を算出し、総和の伝送レートで伝送できるデータ量に基づいて、映像品質を決定する（２０３）。さらに、各プロジェクタに伝送される映像の画質が均質化されるように、各プロジェクタに伝送される映像の品質を調整することにより、各プロジェクタに伝送される映像データの量を決定する。そして、データ分配器は、各通信経路の伝送レートに合わせて、各送信機から送信させる複数の映像データのデータ配分を決定する（２０４）。次に、データ分配器は、各送信機に送信させる映像データにヘッダを挿入する（２０５）。尚、ヘッダには、データ配分に従って決定された映像データの宛先、データ量、順番、伝送レート等の情報が含まれる。
【００２７】
次に、データ分配器は、通信経路が確保されていない送信機を除く全ての送信機に対してヘッダを挿入したデータを送信する（２０６）。その後、通信経路の伝送レートを把握する処理に戻り、各送信機が送信した映像データに対する肯定応答から各通信経路の伝送レートの把握を行う。
【００２８】
また、各送信機では、初期状態として伝送レートが最大に設定されている（２１１）。そして、送信機がデータ分配器からテスト信号送信指示を受けると、受信機へテスト信号を送信する（２１２）。このテスト信号の送信後、受信機から肯定応答（Ａｃｋ）を受信するのを待ち（２１３）、肯定応答を受信できなければ、伝送レートが最小か判断する（２１４）。判断の結果、最小でなければ、伝送レートの引き下げを行い（２１５）、受信機にテスト信号を送信する処理に戻る。ここで、最小の伝送レートでも、肯定応答を受信できない場合、その伝送ルートは切断する（２１６）。一方、肯定応答を受信できた場合、その時の伝送レートを保存し、データ分配器に伝送レートを伝える。
【００２９】
また、その後のデータ伝送時には、テスト信号の肯定応答を受信できた伝送レートでデータを送信する（２１７）。そして、肯定応答の受信を待ち（２１８）、肯定応答を受信できないときは、テスト信号の送信と同様に、最小伝送ルートか判断する（２１９）。判断の結果、最小でなければ、伝送レートの引き下げを行う（２１ａ）。ここで、最小の伝送レートでも、肯定応答を受信できなければ、その伝送ルートは切断する（２１ｂ）。
【００３０】
更に、各受信機では、送信機からテスト信号又はデータを受信し（２２１、２２３）、受信できた場合には肯定応答を送信する（２２２、２２４）。
【００３１】
次に、通信経路（無線伝送パス）の切り替えを伴う場合の送信機及び受信機の処理を、図３を用いて説明する。ここでは、送信機及び受信機の間の無線伝送パス切り替えを伴う以外は変わらないため、図２に示すデータ分配器の処理は省いている。
【００３２】
図３では、図２に示す処理に次の処理が追加されている点が異なる。つまり、受信機の肯定応答に含まれる受信品質が予め決められた閾値以上か否かを判定し（３０１、３０４）、閾値以上でない場合に、同じ閾値以上の無線伝送パスがあれば（３０２、３０５）、その無線伝送パスに切り替える（３０３、３０６）。このように、無線伝送パス切り替えと伝送レートの引き下げの２重ループにより、最適な伝送パスで且つ最大伝送レートでデータ送信が可能となる。
【００３３】
このように、データ分配器１０１は、全通信経路の伝送レートの総和に応じて、解像度又は階調度のビット幅を調整する。更に、各通信経路を介して伝送する各プロジェクタへの映像データの映像品質及びデータ量を調整し、各プロジェクタから出力される映像品質をほぼ等しくする。そして、映像データをそれぞれ無線パケットサイズに細分化し、送信機１１１、１１２へ送信する。ここで、映像データをパケットサイズに細分化する際に、複数のプロジェクタ１４１、１４２の映像が均質化されるように、各通信経路の伝送レートと各通信経路で伝送する映像データの比率と各映像データのパケットサイズを決定する。
【００３４】
図４に、図１に示す送信機１１１、１１２のパケット構成の一例を示す。図４の（Ａ）は、図１の（Ａ）における送信機１１１、１１２から送信されるパケットの構成を示す図である。パケットは、プリアンブル４１１、４２１、ヘッダ４１２、４２２、データ区間４１３、４２３、ＣＲＣ（周期的冗長検査）４１５、４２５で構成されている。ここで、映像データを伝送する場合、映像データを伝送するパケットに加え、不図示のＡｃｋ受信期間、次の映像データ用のプリアンブルまでの待ち時間を含む時間で必要なデータを伝送する必要がある。従って、スループットが２Gbpsの映像データを伝送する通信経路の場合は、データ区間４１３、４２３での伝送レートは２Gbpsより大きい。ヘッダ４１２、４２２には、データ区間４１３、４２３の伝送レート又はその伝送レートを実現する時の変調方式（図１では１６ＱＡＭ）、符号化率、データ長等の情報が含まれる。そして、これらの情報からプロジェクタ１４１、１４２の映像データのスループット２Gbpsが実現される。
【００３５】
図４の（Ｂ）は、図１の（Ｂ）における送信機１１１、１１２のパケットの構成を示す図である。パケットの構成は図４の（Ａ）の場合と同様である。しかし、図４の（Ｂ）の送信機１１１のヘッダ４３２は、変調方式、符号化率等の情報、データ区間４３３、４３４の位置と長さ、データ区間４３４がプロジェクタ１４２用のどの部分のデータかを示す情報等を含んでいる。また、送信機１１２のヘッダ４４２は、伝送レートが下がった後の変調方式（図１ではＱＰＳＫ）、符号化率等の情報と、プロジェクタ１４２用のどの部分のデータかを示す情報等を含んでいる。
【００３６】
尚、図４にはパケット内のデータの長さでデータシェアを行う方法の一例を示したが、ＯＦＤＭ変調のサブキャリア等、異なるデータシェアを行ってもよい。
【００３７】
ここで、第１の実施形態の変形例を、図５、図６を用いて説明する。図５は、変形例１の構成例を示すブロック図である。変形例１では、受信機１２１、１２２はそれぞれ一つのデータ合成器１３１、１３２に接続され、データ合成器１３１、１３２はデータ伝送が双方向に可能なように有線で接続されている。データ合成器１３１は受信した映像データのヘッダの内容に従って映像データをプロジェクタ１４１またはデータ合成器１３２に送信する。同様に、データ合成器１３２は受信した映像データのヘッダの内容に従って映像データをプロジェクタ１４２またはデータ合成器１３１に送信する。図５（Ｂ）の例では、データ合成器１３１は受信した映像データのうち、プロジェクタ１４１宛ての１．５Gbpsの映像データをプロジェクタ１４１に送信する。また、データ合成器１３１は受信した映像データのうち、プロジェクタ１４２宛ての０．５Gbpsの映像データをデータ合成器１３２に送信する。データ合成器１３２は、データ合成器１３１から受信した０．５Gbpsの映像データと受信機１２２から受信した１Gbpsの映像データとを合成し、プロジェクタ１４２に送信する。この構成によれば、受信機とデータ合成器の数が多い場合や受信機とデータ合成器の距離が離れている場合に有効でなる。
【００３８】
図６は、変形例２の構成例を示すブロック図である。変形例２では、送信機１１１及び受信機１２１と、送信機１１２及び受信機１２２とが６４ＱＡＭで通信可能で、各無線通信経路は３Gbpsに相当するデータ伝送レートがある。一方、プロジェクタ１４１、１４２、１４３はそれぞれ２Gbpsのスループットがあればよく、プロジェクタ３台分のデータを無線通信経路２本で伝送できる。図６の（Ａ）は、送信機１１１及び受信機１２１の間でプロジェクタ１４１用のデータ２Gbpsとプロジェクタ１４３用のデータ１Gbpsを伝送する。そして、送信機１１２及び受信機１２２の間でプロジェクタ１４２用のデータ２Gbpsとプロジェクタ１４３用のデータ１Gbpsを伝送する。ここで、データ合成器１３１、１３２はプロジェクタ１４３用のデータ１Gbps分をデータ合成器１３３に有線経由で送信する。そして、データ合成器１３３では、それらの映像データを合成してプロジェクタ１４３に送信する。
【００３９】
図６の（Ｂ）は、送信機１１２及び受信機１２２の間で伝送レートが１Gbpsになると、送信機１１１及び受信機１２１の間でプロジェクタ１４１、１４３、１４２の映像データをそれぞれ１．３Gbps、１．３Gbps、０．３Gbps伝送する。一方、送信機１１２及び受信機１２２の間ではプロジェクタ１４２のデータ１Gbpsのみを伝送する。データ合成器１３１ではそれぞれのプロジェクタのデータを分離し、プロジェクタ１４３、１４２用の映像データを有線経由で送信する。データ合成器１３３ではプロジェクタ１４３、１４２用の映像データからプロジェクタ１４３用のデータのみを選択、分離し、プロジェクタ１４３へ伝送する。また、データ合成器１３２ではプロジェクタ１４３、１４２用の映像データからプロジェクタ１４２用の映像データのみを選択、分離し、受信機１２２で受信された映像データと合成してプロジェクタ１４２へ伝送する。
【００４０】
第１の実施形態では、プロジェクタ数と無線通信経路の数が一致している場合と、プロジェクタ数が無通信経路の数より多い場合を説明したが、これに限定されるものではなく、無線通信経路の数がプロジェクタ数より多くてもよい。
【００４１】
以上のように本実施例によれば、一部の通信経路の伝送レートが低下しても、各映像出力装置から出力される映像品質をほぼ等しく均質化することができる。また、複数の通信経路全体の伝送レートに基づいて映像品質を決め、各通信経路で伝送する映像を決めるので、通信経路を効率よく利用でき、出力される映像品質をより高くすることができる。例えば、各映像出力装置から出力された映像をつなぎ合わせて大画面化する場合には、各画像の画質の違いによるつなぎ目の目立ちを抑制できる。また、各映像出力装置から出力された映像を重ね合わせて輝度をあげたり、３Ｄ化する場合にも映像全体の画質低下を抑制できる。
【００４２】
［第２の実施形態］
次に、図面を参照しながら本発明に係る第２の実施形態を、図７、図８を用いて詳細に説明する。尚、図７に示す構成要素において、図１に示す第１の実施形態と同じ構成要素には同じ番号を用いている。
【００４３】
第２の実施形態では、送信機１１１及び受信機１２１がデータ分配器１０１とプロジェクタ１４１との間のデータ伝送線の置き換えを目的に挿入されている。また、送信機１１２及び受信機１２２もデータ分配器１０１とプロジェクタ１４２との間のデータ伝送線の置き換えを目的に挿入されている。
【００４４】
この構成において、データ分配器１０１は、プロジェクタ１４１、１４２が同じ画質になるように映像データを分配する。また、図７の（Ｂ）のように、送信機１１２及び受信機１２２の間の通信経路が障害物１５２によって妨害され、反射パスで伝送レートが低くなった場合、低くなった経路に合わせて送信機１１１及び受信機１２１の間の通信経路の伝送レートも下げる。これにより、プロジェクタ１４１、１４２へのスループットが等しくなり、画質が均質化されるため、一方の画質の低下により画像の継ぎ目が気になることはない。
【００４５】
図８は、第１の実施形態におけるデータ分配器、送信機、及び受信機によって行われる全体的な処理を示すフローチャートである。図８において、送信機及び受信機の動作は、図２と同様である。
【００４６】
データ分配器は、通信経路の初期状態を調べるために、接続されている全ての送信機から受信機へテスト信号を送信させるテスト信号送信指示を行う（２０１）。次に、第２の実施形態では、全通信経路を最小伝送レートの通信経路に合わせるため、切断されているルートがないことを確認する（８０２）。もし、切断されている通信経路が存在する場合は、その経路の送信機に通信経路が確立されるまでテスト信号を送信させる。切断ルートがなくなると、全ての送信機が受信した肯定応答から各通信経路の伝送レートを把握する（２０２）。尚、図８では送信機及び受信機はそれぞれ２台を例に説明したが、映像画面の大きさ、分割の仕方、伝送レート等で通信経路の必要数が変化するので、この台数に限定されるものではない。
【００４７】
次に、データ分配器は、全ての送信機の肯定応答からそれぞれの伝送レートがわかると、最小伝送レートに合わせて、プロジェクタの映像品質を決定する（８０３）。そして、データ分配器は、各送信機に送信させるデータの前にヘッダを挿入する（８０４）。このヘッダには、決定された伝送レート等の情報が含まれる。次に、データ分配器は、各送信機に対してヘッダを挿入した映像データを送信する（２０６）。その後、切断されているルートがないかを判定する処理に戻り、各送信機が送信した映像データに対する肯定応答から各通信経路の伝送経路の伝送レートの把握を行う。
【００４８】
以上、複数の映像データを複数の無線通信装置で伝送し、複数の映像出力装置を用いて複数の映像データを合成して１つの映像を表示するシステムにおいて、無線伝送する際に、伝送レートに合わせて複数の映像データから出力される映像の品質を均質化できる。
【００４９】
また、映像のスループットの変更の仕方として、映像の最小ピクセルの大きさを変えたり、色調の分解能を変える等、様々な方法が考えられるが、映像のスループットの変更の仕方も本発明の適応範囲外である。
【００５０】
［他の実施形態］
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
0005800553.tif 000002
【図２】
0005800553.tif 000003
【図３】
0005800553.tif 000004
【図４】
0005800553.tif 000005
【図５】
0005800553.tif 000006
【図６】
0005800553.tif 000007
【図７】
0005800553.tif 000008
【図８】
0005800553.tif 000009